(57)【要約】【課題】  従来にない斬新な遊技媒体の払い出しを行うことが可能な遊技機の提供を目的とする。【解決手段】  本発明の遊技機によれば、貸球通過路８３の途中に備えられた振分壁９４は、払出装置３０から払い出された遊技球を貯留部誘導通路９２又は上皿誘導通路９１の何れかにランダムに振り分けるので、貯留部９３に貯留される遊技球の数がランダムに変化する。従って、貯留解除条件が成立したときに貯留部９３から上皿２７Ａに払い出される遊技球の数がランダムに変化するという従来にない斬新な遊技球の払い出しを行うことができ、遊技の趣向性が向上する。【選択図】  図１３
2006006772.tif 000002
【特許請求の範囲】
【請求項１】
遊技機の外面に露出して設けられた受皿と、
払出条件が成立することを起因にして遊技媒体を払い出す払出装置とを備えた遊技機において、
前記払出装置から払い出された遊技媒体が通過する通過路は、途中で第１及び第２の少なくとも２つの誘導通路に分岐されると共に、前記通過路を流下する遊技媒体の自重により、遊技媒体を前記第１又は第２の誘導通路に振り分ける振分手段が設けられ、
前記第１の誘導通路に振り分けられた遊技媒体は、前記受皿に排出され、
前記第２の誘導通路に振り分けられた遊技媒体を一旦貯留する貯留部を遊技機の内側に備えており、
遊技結果が所定の遊技状態になる解除条件が成立したことに起因して、前記貯留部に貯留された遊技媒体を前記受皿に排出する貯留解除手段を備えたことを特徴とする遊技機。
【請求項２】
前記振分手段は、前記第１及び第２の誘導通路の分岐部に配置されたことを特徴とする請求項１に記載の遊技機。
【請求項３】
前記貯留解除手段は、前記貯留部に形成されて前記貯留部に貯留された遊技媒体を前記受皿に向けて払い出すための貯留部排出口と、
前記解除条件が不成立の場合に、前記貯留部排出口を閉鎖した第一位置となる一方、前記解除条件が成立したことを起因にして、前記貯留部排出口を開放した第二位置となる開閉部材とを少なくとも含むことを特徴とする請求項１又は２に記載の遊技機。
【請求項４】
遊技機の外面に露出して設けられた受皿と、
払出条件が成立することを起因にして遊技媒体を前記受皿に払い出す払出装置とを備えた遊技機において、
前記払出装置から払い出された遊技媒体が自重により流下して通過する通過路には、遊技媒体が選択的に通過可能な第１及び第２の少なくとも２つの通過領域が備えられ、
前記第１の通過領域を通過した遊技媒体は前記受け皿に排出されると共に、
前記第２の通過領域に振り分けられた遊技媒体の数のみを計数する計数手段と、
前記計数手段による計数結果を記憶する記憶手段と、
遊技結果が所定の遊技状態になる解除条件が成立したことに起因して、前記記憶手段に記憶された前記計数結果に基づく量の遊技媒体を、前記払出装置から前記受皿に払い出す解除条件付払出手段を備えたことを特徴とする遊技機。
【請求項５】
前記解除条件が成立したことに起因した遊技媒体の払い出しに伴って、前記記憶手段に記憶された前記計数結果を初期化する初期化手段を備えたことを特徴とする請求項４に記載の遊技機。
【請求項６】
前記通過路は、途中で第１及び第２の誘導通路に分岐され、
前記第１の誘導通路によって前記第１の通過領域が構成され、
前記第２の誘導通路によって前記第２の通過領域が構成され、
前記第１及び第２の誘導通路の分岐部に設けられて、前記通過路を流下する遊技媒体の自重により、遊技媒体を前記第１又は第２の誘導通路に振り分ける振分手段とが備えられたことを特徴とする請求項４又は５に記載の遊技機。
【請求項７】
円盤状をなし、周方向に遊技媒体を１個ずつ収容可能な複数の凹所を備えた誘導ホイールを前記通過路の途中に設けると共に、前記通過路の内壁を前記誘導ホイールの外周面に隣接配置し、前記誘導ホイールの回転中心の真上より周方向にずらした位置に遊技媒体を流下させて前記誘導ホイールを一方向に回転させることで、１個ずつ遊技媒体が前記誘導ホイールを通過する構成とし、
前記誘導ホイールの凹所から遊技媒体が排出される部分には、前記誘導ホイールの幅方向の中央に稜線を有する振分壁が前記振分手段として設けられ、
前記振分壁を挟んで一方側が前記第１の誘導通路をなすと共に、他方側が前記第２の誘導通路をなし、
前記凹所の幅方向の寸法を遊技媒体がランダムに移動可能な大きさにしたことを特徴とする請求項１乃至６の何れかに記載の遊技機。
【請求項８】
前記遊技媒体は、遊技球であって、前記遊技球が流下可能な遊技領域を備え、前記解除条件は、前記遊技領域上における遊技球の挙動により得られる遊技結果であることを特徴とする請求項１乃至７の何れかに記載の遊技機。
【発明の詳細な説明】
【技術分野】
【０００１】
本発明は、遊技機に関する。
【背景技術】
【０００２】
従来より、所定の払出条件の成立によって、遊技球やコイン等の遊技媒体を遊技機の前面に備えた受皿に払い出す払出装置を備えた遊技機が知られている（例えば、特許文献１参照）。
【特許文献１】特開２００３−２３０７１８号公報（［００３９］〜［００４２］）
【発明の開示】
【発明が解決しようとする課題】
【０００３】
しかしながら、上述した従来の遊技機では、受皿に払い出される遊技媒体の数は予め定められた所定数に限られている為、遊技媒体の払い出しが画一的で趣向性に欠けていた。
【０００４】
本発明は、上記事情に鑑みてなされたもので、従来にない斬新な遊技媒体の払い出しを行うことが可能な遊技機の提供を目的とする。
【課題を解決するための手段】
【０００５】
上記目的を達成するため、請求項１に係る遊技機は、遊技機の外面に露出して設けられた受皿と、払出条件が成立することを起因にして遊技媒体を払い出す払出装置とを備えた遊技機において、払出装置から払い出された遊技媒体が通過する通過路は、途中で第１及び第２の少なくとも２つの誘導通路に分岐されると共に、通過路を流下する遊技媒体の自重により、遊技媒体を第１又は第２の誘導通路に振り分ける振分手段が設けられ、第１の誘導通路に振り分けられた遊技媒体は、受皿に排出され、第２の誘導通路に振り分けられた遊技媒体を一旦貯留する貯留部を遊技機の内側に備えており、遊技結果が所定の遊技状態になる解除条件が成立したことに起因して、貯留部に貯留された遊技媒体を受皿に排出する貯留解除手段を備えたところに特徴を有する。
【０００６】
請求項２の発明は、請求項１に記載の遊技機において、振分手段は、第１及び第２の誘導通路の分岐部に配置されたところに特徴を有する。
【０００７】
請求項３の発明は、請求項１又は２に記載の遊技機において、貯留解除手段は、貯留部に形成されて貯留部に貯留された遊技媒体を受皿に向けて払い出すための貯留部排出口と、解除条件が不成立の場合に、貯留部排出口を閉鎖した第一位置となる一方、解除条件が成立したことを起因にして、貯留部排出口を開放した第二位置となる開閉部材とを少なくとも含むところに特徴を有する。
【０００８】
請求項４に係る遊技機は、遊技機の外面に露出して設けられた受皿と、払出条件が成立することを起因にして遊技媒体を受皿に払い出す払出装置とを備えた遊技機において、払出装置から払い出された遊技媒体が自重により流下して通過する通過路には、遊技媒体が選択的に通過可能な第１及び第２の少なくとも２つの通過領域が備えられ、第１の通過領域を通過した遊技媒体は受け皿に排出されると共に、第２の通過領域に振り分けられた遊技媒体の数のみを計数する計数手段と、計数手段による計数結果を記憶する記憶手段と、遊技結果が所定の遊技状態になる解除条件が成立したことに起因して、記憶手段に記憶された計数結果に基づく量の遊技媒体を、払出装置から受皿に払い出す解除条件付払出手段を備えたところに特徴を有する。
【０００９】
請求項５の発明は、請求項４に記載の遊技機において、解除条件が成立したことに起因した遊技媒体の払い出しに伴って、記憶手段に記憶された計数結果を初期化する初期化手段を備えたところに特徴を有する。
【００１０】
請求項６の発明は、請求項４又は５に記載の遊技機において、通過路は、途中で第１及び第２の誘導通路に分岐され、第１の誘導通路によって第１の通過領域が構成され、第２の誘導通路によって第２の通過領域が構成され、第１及び第２の誘導通路の分岐部に設けられて、通過路を流下する遊技媒体の自重により、遊技媒体を第１又は第２の誘導通路に振り分ける振分手段とが備えられたところに特徴を有する。
【００１１】
請求項７の発明は、請求項１乃至６の何れかに記載の遊技機において、円盤状をなし、周方向に遊技媒体を１個ずつ収容可能な複数の凹所を備えた誘導ホイールを通過路の途中に設けると共に、通過路の内壁を誘導ホイールの外周面に隣接配置し、誘導ホイールの回転中心の真上より周方向にずらした位置に遊技媒体を流下させて誘導ホイールを一方向に回転させることで、１個ずつ遊技媒体が誘導ホイールを通過する構成とし、誘導ホイールの凹所から遊技媒体が排出される部分には、誘導ホイールの幅方向の中央に稜線を有する振分壁が振分手段として設けられ、振分壁を挟んで一方側が第１の誘導通路をなすと共に、他方側が第２の誘導通路をなし、凹所の幅方向の寸法を遊技媒体がランダムに移動可能な大きさにしたところに特徴を有する。
【００１２】
請求項８の発明は、請求項１乃至７の何れかに記載の遊技機において、遊技媒体は、遊技球であって、遊技球が流下可能な遊技領域を備え、解除条件は、遊技領域上における遊技球の挙動により得られる遊技結果であるところに特徴を有する。
【発明の効果】
【００１３】
［請求項１の発明］
上記のように構成した請求項１に係る発明によれば、払出装置から払い出された遊技媒体が、少なくとも２つの誘導通路のうちの第２の誘導通路を通過した場合は、その遊技媒体は直接受皿に払い出されずに、一旦、貯留部に貯留される。そして、解除条件が成立したときに改めて貯留部から受皿に払い出される。ここで、振分手段は、払出装置から払い出された遊技媒体をその自重によって第１又は第２の誘導通路の何れかにランダムに振り分けるので、貯留部に貯留される遊技媒体の量もランダムに変化する。即ち、解除条件が成立したときに受皿に払い出される遊技媒体の量がランダムに変化するという従来にない斬新な遊技媒体の払い出しを行うことができ、遊技の趣向性が向上する。
【００１４】
［請求項２の発明］
請求項２の発明によれば、振分手段が第１の誘導通路と第２の誘導通路との分岐部に備えられたので、払出装置から払い出された遊技媒体を振分手段に接触させることでスムーズに第１の誘導通路と第２の誘導通路との何れかに振り分けることが可能である。
【００１５】
［請求項３の発明］
請求項３の発明によれば、解除条件が不成立の場合には、貯留部排出口が開閉部材によって閉鎖されるので、解除条件が成立するまで遊技媒体を貯留部に貯めることができる。また、解除条件が成立した場合には、開閉部材が貯留部排出口を開放するので、貯留部に貯留された遊技媒体を払い出すことが可能である。
【００１６】
［請求項４の発明］
請求項４の発明によれば、払出装置から払い出された遊技媒体のうち、通過路内の第２の通過領域を通った遊技媒体の量のみが計数され記憶される。そして、解除条件が成立すると、その時点での計数手段の計数結果に応じた量の遊技媒体が払出装置から受け皿に払い出される。ここで、遊技媒体は、通過路内の第１及び第２の通過領域の何れかをランダムに通過するので、第２の通過領域を通過する遊技媒体の量もランダムに変化する。即ち、解除条件が成立した場合に払出装置から受皿に払い出される遊技媒体の量がランダムに変化するという、従来にない斬新な遊技媒体の払い出しを行うことができ、遊技の趣向性が向上する。
【００１７】
また、第２の通過領域を通過した遊技媒体の量を計数してその結果を記憶しているので、遊技機の構造等の制約によって遊技媒体の貯留可能な量が制限される虞が低減し、解除条件の成立時に受皿に払い出される遊技媒体の量の制限を極力無くすことができる。
【００１８】
［請求項５の発明］
請求項５の発明によれば、解除条件の成立により払出装置から遊技媒体が払い出されると、記憶手段に記憶された遊技媒体の量が初期化されるので、記憶手段に記憶された遊技媒体の量が過度に大きくなることを防止できる。
【００１９】
［請求項６の発明］
請求項６の発明によれば、振分手段が第１の誘導通路と第２の誘導通路との分岐部に備えられたので、払出装置から払い出された遊技媒体を振分手段に接触させることで、スムーズに第１の誘導通路或いは第２の誘導通路の何れかに振り分けることが可能となる。また、第１の誘導通路によって第１の通過領域が構成され、第２の誘導通路によって第２の通過領域が構成されたので、第１の通過領域と第２の通過領域とを明確にすることができる。
【００２０】
［請求項７の発明］
請求項７の発明によれば、通過路を通過する途中で遊技媒体が誘導ホイールの凹所に受容されると、遊技媒体は誘導ホイールの凹所と通過路の内壁との間で保持されたまま誘導ホイールの回転によって移動し、１個ずつ誘導ホイールを通過する。そして、誘導ホイールの凹所から遊技球が排出される部分に設けられた振分壁によって第１の誘導通路と第２の誘導通路とに振り分けられる。
ここで、遊技媒体は、誘導ホイールの回転中心の真上より周方向にずらした位置に流下するので、凹所に受容された遊技媒体の自重によって誘導ホイールを回転させることができる。また、遊技媒体は１個ずつ振分壁に導かれるので、振分壁による遊技媒体の詰まりが防止できる。しかも、凹所の幅方向の寸法は、遊技媒体がランダムに移動可能な大きさをなしたので、凹所内における遊技媒体の位置によって、その遊技媒体が振分壁の稜線を挟んだ何れの側に排出されるかがランダムに変化する。即ち、遊技媒体を第１の誘導通路と第２の誘導通路との何れかにランダムに振り分けることができる。
【００２１】
［請求項８の発明］
請求項８の発明によれば、遊技者に遊技領域における遊技球の挙動に関心を持たせることができ、遊技の趣向性を高めることが可能である。
【発明を実施するための最良の形態】
【００２２】
［第１実施形態］
以下、本発明を適用したパチンコ遊技機の第１実施形態を図１〜図１５に基づいて説明する。
図１に示すように、本実施形態のパチンコ遊技機は、パチンコホールの遊技島に固定された取付枠１００に取り付けられている。パチンコ遊技機の遊技盤１１には、ガイドレール１２で囲まれたほぼ円形の遊技領域Ｒ１が形成され、遊技領域Ｒ１の中央部に、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、上側サイド入賞口２０，下側サイド入賞口２１が設けられ、ガイドレール１２に沿った両側端部には、サイドランプ２２，２２が設けられている。また、遊技領域Ｒ１全体に亘って、図示しない複数の障害釘が起立している。
【００２３】
パチンコ遊技機のうち遊技盤１１より下方には、上皿２７Ａ（本発明の「受皿」に相当する）及び下皿２７Ｂが上下２段にして設けられている。そして、下皿２７Ｂの右端部に設けた操作ノブ２８を操作することで、上皿２７Ａに収容された遊技媒体としての遊技球が遊技盤１１に向けて弾き出される。また、上皿２７Ａに設けたボタン２９を押せば、上皿２７Ａから下皿２７Ｂに遊技球が移動して収容される。さらに、上皿２７Ａを挟んだ両側には、スピーカ５９Ｓが備えられている。
【００２４】
図１に示すように、取付枠１００の左側部には、プリペイドカードユニット１０１が備えられている。プリペイドカードユニット１０１には、カード挿入口１０２が設けられ、このカード挿入口１０２に、予め購入したプリペイドカードを挿入して、上皿２７Ａの上方に備えた球貸しボタン１０３を押すと、パチンコ遊技機の後側に備えられた後述する払出装置３０（図２及び図３を参照）によって、遊技球が上皿２７Ａに払い出される。なお、本実施形態では、球貸しボタン１０３を１回押すことで、例えば、１２５個の遊技球が払い出されるようになっている。
【００２５】
次に所要の各部位についてさらに詳説する。
上側サイド入賞口２０及び下側サイド入賞口２１は、共に遊技球が１つ入賞可能な開口幅をなして上方に開放されている。そして、これら各サイド入賞口２０，２１に遊技球が入賞すると、例えば１０個の遊技球が払出装置３０（図２及び図３を参照）から上皿２７Ａに払い出される。
【００２６】
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示部３４Ｂの図柄が変動表示される。
【００２７】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００２８】
始動入賞口１４に遊技球が入賞すると、始動入賞口１４内に設けた始動口センサ３１（図３を参照）が遊技球を検出し、その検出信号に基づいて払出装置３０から、例えば、４個の遊技球が上皿２７Ａに払い出されると共に、表示装置１３が後述するように図柄を変動表示する。なお、表示装置１３が図柄を変動表示している間に、始動入賞口１４に入賞した入賞球は、４個まで保留記憶される。
【００２９】
大入賞口１５は、横長に形成されて、常には、可動扉１５Ｔにて閉塞されている。そして、遊技の当否判定結果が「当たり」となり、パチンコ遊技機が「大当たり状態」になると、遊技盤１１の裏に設けたソレノイド１５Ｓ（図３参照）が駆動され、可動扉１５Ｔが所定期間に亘って前側に倒れる。これにより、大入賞口１５が開放され、可動扉１５Ｔを案内にして、大入賞口１５に多くの遊技球が入賞可能な大当たり遊技が実行される。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。そして、大当たり遊技は、最大で、例えば１５ラウンドまで継続して行われる。
【００３０】
大入賞口１５の内部には、継続入賞口と計数入賞口とが設けられている。より詳細には、可動扉１５Ｔが開いたときには、継続入賞口は開放しており、継続入賞口に入賞後、ソレノイド１５Ｓが駆動されて、継続入賞口が閉鎖される一方、計数入賞口は開放されたままとなる。そして、継続入賞口内に設けた特定領域センサ３２（図３参照）が遊技球の入賞を検出すると、前述した終了条件を満たしてラウンドが終了した後で、連続して次のラウンドが実行される。また、計数入賞口内に設けたカウントセンサ３３（図３参照）が遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、払出装置３０から、例えば、１５個の遊技球が上皿２７Ａに払い出される。
【００３１】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、表示部３４となっており、遊技者は、表示枠体２３を通して表示部３４に表示された画像を見ることができる。
【００３２】
表示部３４の中央部分には、特別図柄表示部３４Ａが設けられ、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定され、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３３】
表示部３４のうち、特別図柄表示部３４Ａの左下隅には、普通図柄表示部３４Ｂが設けられている。この普通図柄表示部３４Ｂは、始動ゲート１８内に設けた普通図柄始動スイッチが遊技球の通過を検出したときに当否判定され、例えば、「０」〜「９」までの数字（普通図柄）を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示部３４Ｂで表示する普通図柄は、数字に限るものではなく、アルファベットや記号等でもよい。
【００３４】
次に、図３を参照しつつ本実施形態のパチンコ遊技機の電気的な構成について説明する。同図において、５０は、メイン制御回路であって、ＣＰＵ５１ＡとＲＡＭ５１Ｂ及びＲＯＭ５１Ｃを合わせてパッケージしてなるワンチップマイコン５１を主要部として備えている。
【００３５】
ワンチップマイコン５１は、入出力回路５４，５４を介して、前述した入賞球を検出するためのセンサ３１〜３３等から信号を受けると共に、ランプ制御回路５５、発射制御回路５６、表示制御回路５７、払出制御回路５８、音声制御回路５９等に制御信号を出力して各部位を制御する。
【００３６】
ランプ制御回路５５は、メイン制御回路５０からの制御信号に基づいて発光パターンの選択、発光データの設定を行い、サイドランプ２２，２２やその他装飾ランプ、ＬＥＤ等を発光させる。
【００３７】
音声制御回路５９は、メイン制御回路５０からの制御信号に基づいてＢＧＭや演出時の音声データを設定し、スピーカ５９Ｓより音声を発生させる。
【００３８】
表示制御回路５７は、図３に示すように、表示部３４に遊技画像を表示するための制御データや画像データ等を記憶する表示用ＲＯＭ６３を備える。そして、メイン制御回路５０からの制御信号に基づき、表示用ＣＰＵ６１が、表示用ＲＯＭ６３から所定のデータを取り出し、表示用ＲＡＭ６２の作業領域にて遊技画像（特別図柄、演出図柄、背景画像、キャラクター画像、文字画像等）を作成し、表示装置１３の各表示部３４Ａ，３４Ｂに表示させる。
【００３９】
払出制御回路５８は、各入賞口１４，１５，２０，２１への遊技球の入賞に基づいたワンチップマイコン５１からの信号や、プリペイドカードユニット１０１からの信号に基づいて、払出装置３０を駆動して遊技球を上皿２７Ａに向けて払い出す。また、ワンチップマイコン５１からの信号に基づいて、パチンコ遊技機の後側に設けられた遊技球通過路８０（図２を参照）の各種ソレノイド８６，９８を駆動する。
【００４０】
発射制御回路５６は、ワンチップマイコン５１から受けた信号に基づき、発射装置３７（図２を参照）を駆動して、遊技球を遊技領域Ｒ１に向けて発射する。以上がパチンコ遊技機の電気的な構成についての説明である。
【００４１】
ところで、図２に示すように、パチンコ遊技機の後面中央には、上記したメイン制御回路５０、表示制御回路５７、音声制御回路５９、ランプ制御回路５５を取り付けるための矩形窓７４が形成されており、この矩形窓７４の上方に、タンク７１が設けられている。そして、遊技場に備えられた図示しないダクトからタンク７１に遊技球が供給されて、常に一定量以上の遊技球がタンク７１に貯留されている。タンク７１の下方には、矩形窓７４の上辺からプリペイドカードユニット１０１側の側辺に沿うようにして、球供給路７５が延びており、タンク７１に貯留された遊技球は、この球供給路７５内を通過して、矩形窓７４の側方に設けられた払出装置３０に供給される。払出装置３０からは、下方に向かって遊技球通過路８０が延びており、この遊技球通過路８０の下端部が上皿２７Ａに連通している。
【００４２】
なお、矩形窓７４の内側には、表示制御回路５７、音声制御回路５９、ランプ制御回路５５の後方に重なるようにしてメイン制御回路５０が取り付けられている。また、遊技球通過路８０の下端部と重なるようにして払出制御回路５８が設けられ、その側方にパチンコ遊技機に電力を供給する電源回路７０と前記発射制御回路５６及び発射装置３７が取り付けられているている。
【００４３】
図４に基づいて払出装置３０について説明する。払出装置３０は、球供給路７５の下端部に取り付けられた略直方体形状のケース４０の内部に樋４１を備えてなる。樋４１は、遊技球が１つ通過可能な内部空間を有し、図４におけるケース４０の右上方から左下方に向かって斜めに横切って延びている。樋４１の上端開口４５は球供給路７５に連結され、下端開口４６は後述する遊技球通過路８０に連結されている。そして、タンク７１から球供給路７５を通って流下した遊技球が、樋４１内を通過可能となっている。
【００４４】
ケース４０の内部には、賞球・貸球モータ４２が内蔵されている。賞球・貸球モータ４２はその軸心部分に、水平方向に直動可能なシャフト４３を備えている。シャフト４３の先端部には、制止部材４４が連結され、この制止部材４４が賞球・貸球モータ４２の駆動により樋４１の内部に出没するようになっている。
【００４５】
例えば、賞球・貸球モータ４２が消磁されると、シャフト４３がコイルバネ４７の付勢力によって樋４１に向かって直動し、制止部材４４が樋４１内に突出して遊技球が樋４１の上端開口４５付近で堰き止められる（図４の状態）。
【００４６】
一方、例えば、賞球・貸球モータ４２が励磁されると、磁力によりシャフト４３がコイルバネ４７を押し縮めながら賞球・貸球モータ４２側に向けて変位し、制止部材４４が、樋４１内から退避する。すると、遊技球が樋４１内を通過し、後述する遊技球通過路８０に向けて流下する。賞球・貸球モータ４２は、払出制御回路５８によって励磁又は消磁される。また、払出装置３０には、樋４１を通過した遊技球を検出するための賞球・貸球センサ４８（図３を参照）が備えられており、この賞球・貸球センサ４８による遊技球の検出回数によって払い出された遊技球の数が計数されている。そして、賞球・貸球センサ４８による遊技球の検出回計数が、所定回数（賞球であれば４回、１０回、１５回の何れか、貸球であれば１２５回）となった場合、即ち、所定数の遊技球が樋４１を通過して払い出された場合に、前記制止部材４４によって遊技球が堰き止められ、払出装置３０からの遊技球の払い出しが停止される。
【００４７】
次に、遊技球通過路８０について説明する。遊技球通過路８０は、図２に示すように払出装置３０の真下位置に設けられており、払出装置３０の下端開口４６に接続されている（図４を参照）。
【００４８】
図５に示すように、遊技球通過路８０は、払出装置３０の下端開口４６から垂直に延びた共通通過路８１と、共通通過路８１の下端部で左右に離れるように分岐した賞球通過路８２及び貸球通過路８３とを備える。
【００４９】
賞球通過路８２は、共通通過路８１の下端部から図５における左下方に向かって（より詳細には、垂直方向に対して約４５度の角度で）下るように傾斜し、途中で折れ曲がって垂直に延びている。
【００５０】
賞球通過路８２の下方には、上皿排出部８７が備えられ、賞球通過路８２の下端部が上皿排出部８７の内部空間に連絡している。そして、上皿排出部８７に流入した遊技球は、上皿排出部８７の前壁に貫通形成された矩形状の上皿排出口８７Ｋから上皿２７Ａに排出されるようになっている。
【００５１】
貸球通過路８３は、共通通過路８１の下端部から図５における右下方に向かって（より詳細には、垂直方向に対して約４５度の角度で）下るように傾斜した傾斜部８３Ｋを備え、この傾斜部８３Ｋの下端部から下方に向かって延設されている。貸球通過路８３の下方には、後述する貯留部９３が備えられ、この貯留部９３と貸球通過路８３とが連通している。そして貸球通過路８３を通過した遊技球の一部は、貯留部９３に一時的に貯留された後で上皿排出部８７に排出されるようになっている。
【００５２】
遊技球通過路８０のうち、賞球通過路８２と貸球通過路８３との分岐部分には、賞球通過路８２と貸球通過路８３との何れか一方を選択的に共通通過路８１に連通させる電動振分装置１２０が備えられている。電動振分装置１２０は、遊技球通過路８０の内部空間に配設された揺動部材８４と、遊技球通過路８０の外側に設けられた進路変更用ソレノイド８６とから構成される。
【００５３】
揺動部材８４は、全体として半円板形状をなしている。即ち、揺動部材８４は、平坦面をなした上辺部８４Ａと、この上辺部８４Ａの幅方向（図５における左右方向）の端部から幅方向の中央部に向かうに従って下方に円弧状に張り出した湾曲部８４Ｂとを備えている。上辺部８４Ａの幅方向の中央寄りの位置には、揺動部材８４の後方に向かって突出した軸部８５が備えられている。軸部８５は、揺動部材８４に一体に形成されており、図６に示すように遊技球通過路８０の後壁８０Ｂを貫通して先端部が後壁８０Ｂの外側に露出している。そして、軸部８５の先端部分にはレバー８５Ｒが一体に取り付けられている。
【００５４】
進路変更用ソレノイド８６は、遊技球通過路８０に重ねて取り付けられており、進路変更用ソレノイド８６の軸心部に備えたシャフト８６Ｓが、水平方向（図５における左右方向）に直動するようになっている。シャフト８６Ｓの先端部分には、挟持部が備えられ、この挟持部に前記軸部８５に備えられたレバー８５Ｒが挟持されている。そして、シャフト８６Ｓが直動することでレバー８５Ｒが回動され、揺動部材８４が軸部８５を中心に左右に揺動することになる。
【００５５】
例えば、シャフト８６Ｓが進路変更用ソレノイド８６から離れる方向（図５における左方向）に直動すると、揺動部材８４は軸部８５を中心として、図５における反時計回り方向に揺動され、図９に示すように、上辺部８４Ａが右端部から左端部に向かって約４５度の角度で下るように傾斜する。すると、共通通過路８１と賞球通過路８２とが連通する一方、共通通過路８１と貸球通過路８３との間が揺動部材８４によって塞がれて非連通状態となる。これにより、払出装置３０から払い出された遊技球は、共通通過路８１から賞球通過路８２に案内されることになる。
【００５６】
また、シャフト８６Ｓが進路変更用ソレノイド８６側（図９における右方向）に直動すると、揺動部材８４は軸部８５を中心として、図９における時計回り方向に揺動し、図５に示すように、上辺部８４Ａが左端部から右端部に向かって約４５度の角度で下るように傾斜する。すると、共通通過路８１と貸球通過路８３とが連通する一方、共通通過路８１と賞球通過路８２との間が揺動部材８４によって塞がれて非連通状態となる。これにより、払出装置３０から払い出された遊技球は、共通通過路８１から貸球通過路８３に案内されることになる。
【００５７】
なお、遊技球通過路８０のうち、揺動部材８４の湾曲部８４Ｂが対面した部分の内壁８０Ｄは、揺動部材８４の湾曲部８４Ｂに沿って円弧状に湾曲しておりかつ、内壁８０Ｄと揺動部材８４の湾曲部８４Ｂとの間には隙間が設けられている。これにより、揺動部材８４が揺動する際に湾曲部８４Ｂが遊技球通過路８０の内壁８０Ｄに接触することなくスムーズに揺動させることができる。
【００５８】
次に、本発明の「通過路」に相当する貸球通過路８３について詳細に説明する。貸球通過路８３のうち、傾斜部８３Ｋよりも下側部分には、ホイール収容部８３Ｈが形成され、このホイール収容部８３Ｈの内部空間には、誘導ホイール８８が収容されている。誘導ホイール８８は、円盤部材の周方向の複数箇所に、等間隔に凹所９０を陥没形成した構造をなしている。
【００５９】
詳細には、凹所９０は、誘導ホイール８８の周方向に、例えば、６０度ずつの間隔で６つ設けられている。凹所９０は、幅方向（図６における左右方向）の両側と誘導ホイール８８の径方向とに開放しており、遊技球がちょうど１つ収容可能な大きさとなっている。
【００６０】
また、誘導ホイール８８の中心部を貫通した軸部８９が、遊技球通過路８０の前壁８０Ａと後壁８０Ｂとの間に水平に差し渡されており、軸部８９を中心として誘導ホイール８８が貸球通過路８３内で回転可能な構成となっている。そして、誘導ホイール８８の凹所９０の径方向の開口と傾斜部８３Ｋの下端開口とが整合すると、誘導ホイール８８の上方から落下した遊技球を凹所９０内に受け入れ可能となる。
【００６１】
ここで、図５に示すように、貸球通過路８３の傾斜部８３Ｋとホイール収容部８３Ｈとの連通部分は、誘導ホイール８８の軸部８９の真上位置よりも若干周方向にずれた位置に配置されている。つまり、誘導ホイール８８の軸部８９の真上位置から側方にずれた位置で、上方から落下した遊技球を凹所９０に受けるので、凹所９０に受容された遊技球の自重によって、誘導ホイール８８に対して図５における時計回り方向への回転力が付与される。また、貸球通過路８３の傾斜部８３Ｋの下端開口と凹所９０の径方向の開口とが整合していない状態で誘導ホイール８８が停止していても、傾斜部８３Ｋを右下方に向かって転動した遊技球が接触することで誘導ホイール８８が図５における時計回り方向に回転され、遊技球を凹所９０内に受容させることが可能である。また、モータ等を使用せずに誘導ホイール８８を回転させることができ、凹所９０に遊技球が受容されていない状態で無駄に誘導ホイール８８が回転することが防止される。
【００６２】
また、凹所９０は、傾斜部８３Ｋを転動する遊技球の進行方向（図５における右下方）に合わせて陥没している。換言すれば、凹所９０の内面は、誘導ホイール８８の回転方向（図５における時計回り方向）の前方部分９０Ｆが後方部分９０Ｂよりも大きく凹所９０の内側に湾曲している。これにより、傾斜部８３Ｋを右下方に向かって転動した遊技球を凹所９０で確実に受け止めることができかつ、誘導ホイール８８に対して時計回り方向への回転力を確実に付与することができる。
【００６３】
つまり、誘導ホイール８８の回転がスムーズに行われることで、傾斜部８３Ｋと凹所９０との間での遊技球の受け渡しがスムーズに行われ、遊技球の受け渡し部分（傾斜部８３Ｋの下端開口の付近）における球詰まりを防止することができる。以上が誘導ホイール８８の説明である。
【００６４】
貸球通過路８３のうち、ホイール収容部８３Ｈの内壁８０Ｃは、誘導ホイール８８の回転領域に対応して略円弧形状に湾曲している。誘導ホイール８８の回転領域の最外部と内壁８０Ｃとの間には、隙間が設けられている。この隙間により誘導ホイール８８が貸球通過路８３の内壁８０Ｃに接触することなくスムーズに回転することが可能となっている。なお、この隙間は、遊技球よりも小さくなっているので、凹所９０に受容された遊技球が誘導ホイール８８によって移動している途中で、隙間を通って下方に流下されることが防がれる。また、ホイール収容部８３Ｈにおける遊技球通過路８０の前壁８０Ａと後壁８０Ｂとの間隔は、遊技球の直径よりも大きくなっておりかつ、凹所９０の幅方向（図６における左右方向）の寸法も遊技球の直径よりも大きくなっているので、誘導ホイール８８によって遊技球が誘導されている間、遊技球は凹所９０内で幅方向に移動可能となっている。
【００６５】
さて、貸球通過路８３のうち、ホイール収容部の下方には、本発明の「振分手段」に相当する振分壁９４が形成されている。振分壁９４は、図５に示すように、誘導ホイール８８の軸部８９の真下位置に設けられている。また、振分壁９４は、図６に示すように上端縁が尖った山形状をなしており、稜線９４Ｒが誘導ホイール８８の幅方向（図６における左右方向）の中心と一致するように配置されている。
【００６６】
そして、図６に示すように、貸球通過路８３は、この振分壁９４を境にしてパチンコ遊技機の前後方向（図６における左右方向）に分岐している。詳細には、振分壁９４よりも後側（図６における左側）に、本発明の「第２の誘導通路」に相当する貯留部誘導通路９２が形成され、振分壁９４よりも前側（図６における右側）に本発明の「第１の誘導通路」に相当する上皿誘導通路９１が形成されている。
【００６７】
図８に示すように、上皿誘導通路９１は、誘導ホイール８８の軸部８９の真下位置から賞球通過路８２の下端部に近づくように斜めに下っており、賞球通過路８２と同様に上皿排出部８７に連通している。
【００６８】
図６に示すように、貯留部誘導通路９２は、上皿誘導通路９１の後側に備えられた貯留部９３に連通している。貯留部９３は、略筺形状をなしており、パチンコ遊技機の後方（図６の左方）に膨出している。そして貯留部９３の上壁９３Ｊに形成された開口部９６にて貯留部誘導通路９２と連通している。
【００６９】
図６に示すように、貯留部９３と上皿誘導通路９１との間を隔てた区画壁７７には、貯留部９３と上皿誘導通路９１とを連通した過剰球排出口７６が貫通形成されている。過剰球排出口７６は、遊技球がちょうど１つ通過可能な大きさの矩形状をなしている。過剰球排出口７６は、貯留部９３の上寄り位置に形成されており、貯留部９３内で過剰球排出口７６が形成された位置まで遊技球が積み重なると、過剰球排出口７６から遊技球が上皿誘導通路９１に排出されるようになっている（図１４を参照）。これにより、貯留部９３内に過剰に遊技球が貯留されることが防止され、貯留部９３内において遊技球の流れが妨げられることが防止される。また、貯留部９３から過剰球排出口７６を通って排出された遊技球は、上皿２７Ａに移動して遊技者に払い出されるので、払い出されるべき遊技球が払い出されなかったことによる遊技の趣向性の低下を防止することができる。
【００７０】
なお、本実施形態では、区画壁７７のうち、過剰球排出口７６よりも上側の部分が振分壁９４となっている。つまり、区画壁７７が振分壁９４を兼用しているので構造を簡素化できる。
【００７１】
貯留部９３のうち、一方の側壁９３Ｓには、側方に向かって膨出した球排出部９５が備えられている。球排出部９５は、上皿排出部８７の後壁７８に重ねて設けられている（図７を参照）。後壁７８には、球排出部９５と上皿排出部８７とを連通する貯留部排出口９７が貫通形成されている。貯留部排出口９７は、略矩形状をなし、遊技球がちょうど１つ通過可能な大きさを有している。これにより、貯留部９３に転入した遊技球が、貯留部排出口９７を通って上皿排出部８７に転入可能となっている。
【００７２】
貯留部９３の底部９３Ｔは、球排出部９５に向かって下るように緩やかに傾斜しており、球排出部９５が、貯留部９３のうちで最も低い位置となるように構成されている。これにより、貯留部９３に転入した遊技球は、貯留部９３の底部９３Ｔの傾斜によって球排出部９５に集められるようになっている。なお、図７に示すように、球排出部９５の内部空間９５Ａの開口広さは、遊技球１つ分の大きさをなしている。これにより、球排出部９５において遊技球が１つずつ整列され（図１３の（Ａ）を参照）、貯留部排出口９７からスムーズに遊技球が排出されるようになっている。
【００７３】
図７に示すように、球排出部９５の上方位置には、開閉用ソレノイド９８が取り付けられている。開閉用ソレノイド９８は、前記した進路変更用ソレノイド８６と同様に軸心部にシャフト９８Ｓを備え、このシャフト９８Ｓが上下方向に直動するようになっている。シャフト９８Ｓの先端部には、開閉部材９９が取り付けられている。開閉部材９９は、図５に示すように、貯留部排出口９７の開口広さよりも一回り大きい矩形板状をなす。そして、球排出部９５の上壁９５Ｊに形成されたスリット９５Ｓからこの開閉部材９９が挿入され、開閉用ソレノイド９８によるシャフト９８Ｓの直動動作によって、開閉部材９９が球排出部９５の内部空間で９５Ａで上下にスライドするようになっている。
【００７４】
例えば、開閉用ソレノイド９８が励磁されて、シャフト９８Ｓが上方に移動すると、開閉部材９９が上方にスライドして貯留部排出口９７が開放状態となり、貯留部９３に貯留された遊技球が、上皿排出部８７に転入可能となる（図１３を参照）。一方、開閉用ソレノイド９８が消磁されてシャフト９８Ｓが下方に移動すると、開閉部材９９が下方にスライドして貯留部排出口９７が閉鎖状態となり、貯留部９３に貯留された遊技球は、上皿排出部８７に転入不可能となる（図５及び図７の状態）。なお、閉鎖状態とは、貯留部排出口９７を遊技球が通過できないように開閉部材９９が貯留部排出口９７の少なくとも一部を覆った状態のことであり、貯留部排出口９７を完全に塞いだ状態でなくてもよい。即ち、図７に示すように、貯留部排出口９７の下部が遊技球が通過不可能な大きさで上皿排出部８７と連通していてもよい。
【００７５】
なお、図５に示すように、上皿排出部８７の側方には、下皿２７Ｂに連通した下皿連絡路６０が形成されている。上皿排出部８７と下皿連絡路６０との間には、段差部６１が形成されている。段差部６１の上皿排出部８７側の壁部６２は、上方に向かうに従って下皿連絡路６０に近づくように傾斜している。これにより、なるべく多くの遊技球が上皿排出部８７に貯留され、上皿２７Ａに排出されるようになっている。また、上皿排出部８７に遊技球が積み重なって段差部６１の上端面よりも高くなると、その遊技球が段差部６１を乗り越えて下皿連絡路６０に転入し、下皿２７Ｂに排出されるようになっている。これにより、上皿排出部８７内に過剰に遊技球が蓄積されることがなくなり、上皿排出口８７Ｋにおける球詰まりが防止される。
【００７６】
本実施形態のパチンコ遊技機の構成は以上であり、次に上記構成からなるパチンコ遊技機の作用・効果を説明する。
操作ノブ２８を操作することで、遊技球が遊技盤１１の遊技領域Ｒ１に弾き出されると、遊技球は、障害釘、ランプ風車１７，風車１９等に当たって向きを変えられ、ランダムな経路を通って遊技領域Ｒ１の下方に向かう。遊技領域Ｒ１を流下する遊技球が、各入賞口１４，１５，２０，２１の何れにも入賞していないときには、遊技球が払い出されない。即ち、払出装置３０の賞球・貸球モータ４２に備えたシャフト４３が突出して、制止部材４４が樋４１内に突出した状態に保持される。これにより遊技球は球供給路７５及び樋４１内で堰き止められた状態となるので、遊技球は払い出されない（図４の状態）。
【００７７】
遊技領域Ｒ１を流下する途中で、遊技球が始動入賞口１４、大入賞口１５、各サイド入賞口２０，２１の何れかに入賞したことが検出されると、この検出信号に基づいて払出装置３０から所定数の遊技球が払い出される。即ち、払出制御回路５８からの信号によって、払出装置３０に備えた賞球・貸球モータ４２が励磁される一方、遊技球通過路８０に備えられた進路変更用ソレノイド８６が消磁される。すると、払出装置３０内の制止部材４４が樋４１内から退避されると共に、揺動部材８４が軸部８５を中心に反時計回り方向に揺動して、遊技球通過路８０の共通通過路８１と賞球通過路８２とが連通状態となる（図９の状態）。これにより、球供給路７５及び樋４１に堰き止められていた遊技球が、自重によって樋４１内を流下し、遊技球通過路８０の共通通過路８１と賞球通過路８２とを通過して、上皿排出部８７に案内される。そして、上皿排出部８７の上皿排出口８７Ｋからパチンコ遊技機の前面側に備えた上皿２７Ａに払い出される。
【００７８】
ところで、遊技者がプリペイドカードを、プリペイドカードユニット１０１のカード挿入口１０２に挿入して、球貸しボタン１０３を押した場合には、以下のようである。即ち、払出制御回路５８からの信号によって、払出装置３０に備えた賞球・貸球モータ４２と、遊技球通過路８０に備えられた進路変更用ソレノイド８６とが共に励磁される。すると、払出装置３０内の制止部材４４が樋４１内から退避されると共に、揺動部材８４が軸部８５を中心に図９における時計回り方向に回動して、遊技球通過路８０の共通通過路８１と貸球通過路８３とが連通状態となる（図１０の状態）。これにより、球供給路７５及び樋４１に堰き止められていた遊技球が、自重によって樋４１内を流下し、遊技球通過路８０の共通通過路８１から貸球通過路８３へと案内される。
【００７９】
貸球通過路８３へ案内された遊技球は、図１０の太線で示すように、傾斜部８３Ｋを転動して、誘導ホイール８８の上方から、凹所９０内に転入する。すると、誘導ホイール８８は、凹所９０に受容した遊技球の自重によって、図１０における時計回り方向に回転する。遊技球は、凹所９０とホイール収容部８３Ｈの内壁８０Ｃとの間に保持された状態で下方に向かって移動し、遊技球を保持した凹所９０が、誘導ホイール８８の軸部８９の真下位置となると（図１１の状態）、凹所９０から遊技球が下方に排出される。つまり、誘導ホイール８８によって払出装置３０から排出された遊技球が１つずつ下方に案内されるので、貸球通過路８３内での球詰まりが防止される。
【００８０】
凹所９０から排出された遊技球は、その真下に設けられた振分壁９４に衝突し、振分壁９４を挟んで前後に形成された上皿誘導通路９１と貯留部誘導通路９２との何れかに振り分けられる（図１１の（Ｂ）を参照）。
【００８１】
ここで、振分壁９４の上端部は、山形に尖っているので、振分壁９４に衝突した遊技球がスムーズに何れかの誘導通路９１，９２に振り分けられるようになっている。また、遊技球は、誘導ホイール８８によって下方に向かって誘導される間に、凹所９０内で誘導ホイール８８の幅方向にランダムに移動するので、凹所９０からの排出位置が前後方向（図１１の（Ｂ）における左右方向）にランダムに変位する。つまり、誘導ホイール８８から排出された遊技球がランダムに貯留部９３に転入する。
【００８２】
振分壁９４に衝突して、振分壁９４の前側（図１１（Ｂ）における右側）に落下した場合には、上皿誘導通路９１を経て上皿排出部８７に案内される（図８を参照）。一方、振分壁９４の後側（図１１（Ｂ）における左側）に落下した場合には、貯留部誘導通路９２を経て貯留部９３に案内される（図１２を参照）。
【００８３】
さて、貯留部９３に備えられた開閉部材９９は、常には貯留部排出口９７を閉鎖状態（図７及び図１２の状態）としており、その間に貸球通過路８３から貯留部９３に流入した遊技球は、上皿排出部８７に排出される（上皿２７Ａに払い出される）前に、一旦貯留されるようになっている。そして、所定の解除条件が成立した場合に、開閉部材９９が移動して、所定時間に亘って貯留部排出口９７が開放状態（図１３の状態）とされ、貯留部９３に貯留された遊技球が上皿排出部８７に排出されるようになっている。
【００８４】
ここで、貯留部９３から遊技球が排出される際の開閉部材９９の動作を、図１５のフローチャートに基づいて詳細に説明する。メイン制御回路５０では、図１５に示す貯留解除条件判定プログラムＰ１がランされる。まず、貯留解除中フラグＦ１が１か否かがチェックされ（Ｓ１）、貯留解除中フラグＦ１が１であった場合（Ｓ１でＹｅｓ）、即ち、開閉部材９９が、貯留部排出口９７を開放している場合には、ステップＳ７へジャンプする。
【００８５】
貯留解除中フラグＦ１が１ではない場合（Ｓ１でＮｏ）、即ち、開閉部材９９により貯留部排出口９７が閉鎖状態（図７及び図１２の状態）となっている場合には、貯留解除条件が成立したか否かがチェックされる（Ｓ２）。貯留解除条件が成立していない場合（Ｓ２でＮｏ）には、ステップＳ７にジャンプする一方、貯留解除条件が成立した場合には（Ｓ２でＹｅｓ）、貯留解除中フラグＦ１を１とする（Ｓ３）。ここで、本実施形態では、始動入賞口１４へ遊技球が入賞し、表示部３４にて変動表示後に停止表示された特別図柄１３Ａ，１３Ｂ，１３Ｃがぞろ目になった場合に、貯留解除条件が成立するようになっている。
【００８６】
次いで、貯留解除中タイマーＴをセットする（Ｓ４）。本実施形態では、貯留解除タイマーＴの初期値は６０秒に補正時間αを加えた時間となっている。なお、補正時間αは、設定時間の誤差などを調節するためのものであり、貯留部排出口９７が開放されている時間、即ち、貯留部排出口９７から遊技球が排出可能な時間が正確に６０秒間となるように設定されている。
【００８７】
貯留解除中タイマーＴがセットされると、開閉用ソレノイド９８が駆動される（Ｓ５）。即ち、シャフト９８Ｓが上方に移動することで開閉部材９９が上方にスライドし、上端位置で停止する（Ｓ６）。この状態となると、図１３に示すように、貯留部９３に貯留されている遊技球が、貯留部排出口９７を通って上皿排出部８７に排出され、上皿２７Ａに払い出される。
【００８８】
ステップＳ６に次いで、再度、貯留解除中フラグＦ１が１か否かがチェックされ（Ｓ７）、貯留解除中フラグＦ１が１ではない場合（Ｓ７でＮｏ）には、直ちにこのプログラムＰ１を抜ける。一方、貯留解除中フラグＦ１が１である場合（Ｓ７でＹｅｓ）には、貯留解除中タイマーＴを減算し（Ｓ８）、その減算された貯留解除中タイマーＴが「０」となったか否かがチェックされる（Ｓ９）。
【００８９】
貯留解除中タイマーＴが「０」ではない場合（Ｓ９でＮｏ）には、直ちにこのプログラムＰ１を抜けて貯留部排出口９７の開放状態を維持する。一方、貯留解除中タイマーＴが「０」であった場合（Ｓ９でＮｏ）、即ち、貯留部排出口９７が６０秒間に亘って開放された場合には、貯留解除中フラグＦ１を０にリセットする（Ｓ１０）。そして、開閉用ソレノイド９８を駆動して（Ｓ１１）、開閉部材９９を下方へスライドさせて、貯留部排出口９７を閉鎖状態（図７及び図１２の状態）にし、その状態で停止させる（Ｓ１２）。これにより、再度、貯留部９３に遊技球を貯留可能となる。
【００９０】
このように、本実施形態によれば、貸球通過路８３の途中に備えられた振分壁９４は、払出装置３０から払い出された遊技球を貯留部誘導通路９２又は上皿誘導通路９１の何れかにランダムに振り分けるので、貯留部９３に貯留される遊技球の数がランダムに変化する。従って、貯留解除条件が成立したときに貯留部９３から上皿２７Ａに払い出される遊技球の数がランダムに変化する（或いは貯留部９３から上皿２７Ａに払い出される遊技球の数が画一的になる虞を低減することが可能である）という従来にない斬新な遊技球の払い出しを行うことができ、遊技の趣向性が向上する。
【００９１】
また、遊技に詳しい遊技者であれば、貯留部９３に遊技球が貯留されると、払い出されるべき遊技球の数が少ないことに気づき、この時点で貯留部９３に遊技球が貯留されていることを認識することができる。そして、この貯留された遊技球を払い出させるために、遊技者により多くの遊技球を発射させることができる。
【００９２】
［第２実施形態］
図１６〜図１８は本発明の第２実施形態を示す。
この第２実施形態は、貸球通過路及び誘導ホイールの構成を上記第１実施形態とは異なる構成としたものである。その他の構成については上記第１実施形態と同じであるため、同じ構成については、同一符号を付し、重複する説明は省略する。
【００９３】
図１６に示すように、本実施形態の誘導ホイール２００は、扁平円筒部材２０１の中心部に軸部８９を備え、この軸部８９と扁平円筒部材２０１の内周面との間を複数のリブ２０３によって連結した構造をなしており、隣接したリブ２０３同士の間に、凹所２０４が形成されている。つまり、誘導ホイール２００に備えられた凹所２０４は、凹所２０４の幅方向（図１７における左右方向）にのみ開放している。
【００９４】
リブ２０３は、軸部８９から扁平円筒部材２０１に向かうに従って、図１６における反時計回り方向に傾いている。換言すれば、凹所２０４の内面のうち、図１６における時計回り方向の前側部分２０４Ｆが凹所２０４の内側に向かって湾曲している
【００９５】
扁平円筒部材２０１の内周面のうち、凹所２０４が形成された部分には、図１７に示すように、扁平円筒部材２０１の幅方向（図１７における左右方向）の両端部から中央部に向かうに従って、扁平円筒部材２０１の軸心に向かって隆起した三角凸部２０５（本発明の「振分手段」に相当する）が形成されている。そして、三角凸部２０５の稜線２０５Ｒが、凹所２０４の幅方向の中心に一致している。
【００９６】
誘導ホイール２００の回転により遊技球を受容した凹所２０４が軸部８５の真下位置となると、図１７の太線で示すように、遊技球は三角凸部２０５によってパチンコ遊技機の前後方向に振り分けられる。即ち、遊技球が凹所２０４の側部開口２０４Ｓ，２０４Ｓから、上皿誘導通路９１又は貯留部誘導通路９２の何れかにランダムに振り分けられる。
【００９７】
ところで、本実施形態の貸球通過路２１０には、図１７に示すように、傾斜部８３Ｋの下端部に連絡して下方に垂直に延びた連絡通路部２１１が備えられている。連絡通路部２１１は、貸球通過路２１０の傾斜部８３Ｋ及びホイール収容部８３Ｈの後側に重なるようにして設けられており、上端部２１１Ｊが傾斜部８３Ｋの下端部と前後方向（図１７における左右方向）に連通している。また、連絡通路部２１１の下端部２１１Ｋはホイール収容部８３Ｈの上寄り部分と前後方向（図１７における左右方向）に連通し、誘導ホイール２００の凹所２０４の側部開口２０４Ｓに連通可能となっている。
【００９８】
つまり、遊技球は、図１７の太線で示すように、傾斜部８３Ｋの下端部から後側に転動してから真下に流下し、連絡通路部２１１の底壁に受け止められて誘導ホイール２００の後側から凹所２０４の側部開口２０４Ｓを通って凹所２０４に受容される。
【００９９】
なお、図１８に示すように、連絡通路部２１１の下端部２１１Ｋは、誘導ホイール２００の軸部８９の真上位置から周方向（図１８における右側）にずらされている。従って、誘導ホイール２００の凹所２０４に遊技球が受け入れられると、その遊技球の自重により誘導ホイール２００が図１８における時計回り方向に回転する。
【０１００】
また、誘導ホイール２００のうち、連絡通路部２１１の下端部２１１Ｋと凹所２０４の側部開口２０４Ｓとが整合した状態において軸部８９の真下となる部分に重りを設けてもよい。このようにすれば、誘導ホイール２００から全ての遊技球が排出された場合に、連絡通路部２１１の上端部２１１Ｊと凹所２０４の側部開口２０４Ｓとが整合した状態で誘導ホイール２００を停止させることができる。従って、誘導ホイール２００が停止していても、スムーズに凹所２０４に遊技球を受容させることが可能となる。
【０１０１】
本実施形態によれば、上記第１実施形態と同等の効果を奏することができる。また、遊技球を振り分ける三角凸部２０５が誘導ホイール２００に一体に形成されたので、遊技球の振分手段の構成をより簡素にすることができる。さらに、三角凸部２０５の稜線２０５Ｒと凹所２０４の底部との間隔が比較的近いので、三角凸部２０５への遊技球の衝撃を抑えることができる。
【０１０２】
［第３実施形態］
図１９〜図２２は本発明の第３実施形態を示す。
この第３実施形態は、貸球通過路の構成及び電気的な構成が上記第１実施形態とは異なり、その他の構成については上記第１実施形態と同じである。
【０１０３】
図１９に示すように、本実施形態の貸球通過路３００は、傾斜部８３Ｋの下端部の真下位置に振分壁９４を備えており、この振分壁９４よりも前側に一般誘導通路３０１（本発明の「第１の誘導通路」に相当する）が形成され、後側に計数誘導通路３０２（本発明の「第２の誘導通路」に相当する）が形成されている。振分壁９４の下端部には、振分壁９４を前後方向に貫通した連通口３０３が形成されており、この連通口３０３において、一般誘導通路３０１と計数誘導通路３０２とが合流している。また、計数誘導通路３０２の内壁には、計数誘導通路３０２を通過した遊技球を計数するための計数センサ３０４（図２１を参照。本発明の「計数手段」に相当する）が備えられている。なお、一般誘導通路３０１の内部空間が、本発明の「第１の通過領域」に相当し、計数誘導通路３０２の内部空間が、本発明の「第２の通過領域」に相当する。
【０１０４】
遊技球は貸球通過路３００内を以下のようにして通過する。即ち、遊技球は、貸球通過路３００の傾斜部８３Ｋから下方に流下し、振分壁９４に接触する。振分壁９４に接触して振分壁９４の前側に向かった遊技球は、一般誘導通路３０１を通過して、上皿排出部８７に向かう（図２０の（Ａ）を参照）。一方、振分壁９４に接触して振分壁９４の後側に向かった遊技球は、計数誘導通路３０２を通過し、連通口３０３を通って上皿排出部８７に向かう（図２０の（Ｂ）を参照）。ここで、計数誘導通路３０２を通過した遊技球は計数センサ３０４によって計数されて、その計数結果が、例えばメイン制御回路５０のＲＡＭ５１Ｂ（図２１を参照。本発明の「記憶手段」に相当する）に記憶される。
【０１０５】
図２０に示すように、傾斜部８３Ｋにおける遊技球通過路８０の前壁８０Ａと後壁８０Ｂとの間隔は、遊技球の直径よりも大きいので、遊技球は傾斜部８３Ｋを転動中に幅方向に移動可能となり、傾斜部８３Ｋの幅方向のランダムな位置から振分壁９４に向かって流下する。これにより、振分壁９４によって計数誘導通路３０２に振り分けられる遊技球の数がランダムに変化する。
【０１０６】
さて、本実施形態では、所定条件が成立する（例えば、特別図柄１３Ａ，１３Ｂ，１３Ｃがぞろ目となる）と、ＲＡＭ５１Ｂに記憶されている遊技球の計数結果に応じて、払出装置３０から遊技球が払い出されるようになっている。詳細には、以下のようである。
【０１０７】
即ち、メイン制御回路５０では、図２２に示す貯留解除条件判定プログラムＰ２が実行されている。まず、計数センサ３０４によって遊技球を検出したか否かがチェックされ（Ｓ１００）、検出した場合（Ｓ１００でＹｅｓ）、即ち、計数誘導通路３０２を遊技球が通過した場合には、計数検出フラグＦ２を１にセットする（Ｓ１０１）。また、検出していない場合（Ｓ１００でＮｏ）には、ステップＳ１０２にジャンプする。
【０１０８】
次に、計数検出フラグＦ２が１か否かがチェックされ（Ｓ１０２）、１であった場合（Ｓ１０２でＹｅｓ）には、計数個数Ｓを１インクリメントし（Ｓ１０３）、計数検出フラグＦ２を０にリセットする（Ｓ１０４）。なお、ステップＳ１０２において、計数検出フラグＦ２が１ではないと判断された場合には、ステップＳ１０５にジャンプする。
【０１０９】
次に、貯留解除中フラグＦ１が１か否かがチェックされ（Ｓ１０５）、１である場合（Ｓ１０５でＹｅｓ）、即ち、計数結果に応じて払出装置３０が遊技球を払い出している場合には、ステップＳ１１２にジャンプする。また、貯留解除中フラグＦ１が１ではない場合（Ｓ１０５でＮｏ）には、貯留解除条件が成立したか否かがチェックされ（Ｓ１０６）、成立していない場合（Ｓ１０６でＮｏ）にもステップＳ１１２にジャンプする。
【０１１０】
一方、ステップＳ１０６において、貯留解除条件が成立した場合（Ｓ１０６でＹｅｓ）には、貯留解除中フラグＦ１を１にセット（Ｓ１０７）する。そして、貯留個数Ｕにその時点での計数個数Ｓをセットし（Ｓ１０８）、計数個数Ｓの値を０にリセットする（Ｓ１０９）。なお、このステップＳ１０９は、本発明の「初期化手段」に相当し、ＲＡＭ５１Ｂに記憶された計数結果が過度に大きくなることを防止している。
【０１１１】
次いで、電動振分装置１２０に備えた進路変更用ソレノイド８６を駆動して（Ｓ１１０）、揺動部材８４を回動させる。そして、共通通過路８１と賞球通過路８２とを連通状態とする（Ｓ１１１、図１９の（Ａ）の状態）。その後、貯留解除中フラグＦ１が１か否かがチェックされ（Ｓ１１２）、１であった場合（Ｓ１１２でＹｅｓ）には払出装置３０による遊技球の払い出しが開始される（Ｓ１１３）。なお、貯留解除中フラグＦ１が１でなない場合（Ｓ１１２でＮｏ）には、直ちにこのプログラムＰ２を抜ける。
【０１１２】
さて、払出装置３０には、ストック放出センサ３０６（図２１を参照）が備えられており、このストック放出センサ３０６によって、払出装置３０を通過した遊技球が検知され、払い出された遊技球数がカウントされている。
【０１１３】
図２２に示すように、払出装置３０による遊技球の払い出しが行われると、ストック放出センサ３０６によって遊技球が検出されたか否かがチェックされ（Ｓ１１４）、遊技球が検出された場合には（Ｓ１１４でＹｅｓ）、ステップＳ１８でセットされた貯留個数Ｕが１ディクリメントされる（Ｓ１１５）。なお、ストック放出センサ３０６によって遊技球が検出されなかった場合には（Ｓ１１４でＮｏ）直ちにこのプログラムＰ２を抜ける。
【０１１４】
次いで、貯留個数Ｕが０となったか否かがチェックされ（Ｓ１１６）、０となった場合（Ｓ１１６でＹｅｓ）、即ち、セットされた貯留個数Ｕ分の遊技球が、払出装置３０から払い出されたら、貯留解除中フラグＦ１を０にリセットして（Ｓ１１７）、このプログラムＰ２を抜ける。なお、貯留個数Ｕが０とならなかった場合（Ｓ１１６でＮｏ）には、直ちにこのプログラムＰ２を抜けて、遊技球の払い出しを継続する。なお、このプログラムＰ２は、本発明の「解除条件付払出手段」に相当する。
【０１１５】
本実施形態によれば、所定条件が成立すると、貸球通過路３００の計数誘導通路３０２を通過した遊技球の数と同数の遊技球が、払出装置３０から払い出される。ここで、貸球通過路３００を通過する遊技球は、振分壁９４によって一般誘導通路３０１と計数誘導通路３０２の何れかにランダムに振り分けられるので、計数誘導通路３０２を通過する遊技球の数もランダムに変化する。即ち、所定条件成立時に払出装置３０から払い出される遊技球の数がランダムに変化する（或いは払出装置３０から上皿２７Ａに払い出される遊技球の数が画一的になる虞を低減することが可能である）という、従来にない斬新な遊技球の払い出しを行うことが可能となり、遊技の趣向性が向上する。また、貸球通過路３００を通過した遊技球は、パチンコ遊技機の内部に貯留されることなく全部上皿２７Ａ又は下皿２７Ｂに払い出され、計数誘導通路３０２を通過した分の遊技球が、所定条件成立時に改めて払い出されるので、従来の遊技機と同様に貸し球の払い出しを行いつつ、遊技者に払い出される遊技球の数を増加させることが可能となる。
【０１１６】
しかも、計数誘導通路３０２を通過した遊技球の数を計数してその結果を記憶しているので、遊技機の構造等の制約によって遊技球の貯留可能な数が制限される虞が低減し、貯留解除条件の成立時に上皿２７Ａに払い出される遊技球の数の制限を極力無くすことができる。
【０１１７】
［第４実施形態］
この第４実施形態は、貸球通過路の構成を上記第３実施形態とは異なる構成としたものであり、その他の構成については上記第３実施形態と同じである。
【０１１８】
図２３に示すように、本実施形態の貸球通過路４００は、傾斜部８３Ｋから下方に延びた垂直通路部４０１を備え、この垂直通路部４０１が傾斜部８３Ｋよりも幅広となっている。
【０１１９】
そして、遊技球が傾斜部８３Ｋの幅方向のランダムな位置から流下することで、遊技球は垂直通路部４０１内のランダムな通過領域を通って上皿排出部８７に向かって流下するようになっている。ここで、垂直通路部４０１の内壁のうち、後壁４０１Ｂ寄りの位置には、２つの計数センサ３０４，３０４が上下に配置されている。これにより、垂直通路部４０１の後壁４０１Ｂ寄りの領域を通過した遊技球のみが計数センサ３０４によって検出され、垂直通路部４０１の幅方向の中央の領域や前壁４０１Ｆ寄りの領域を通過した遊技球は、計数センサ３０４によって検出されない。なお、垂直通路部４０１のうち、垂直通路部４０１の後壁４０１Ｂ寄りの通過領域が、本発明の「第２の通過領域」に相当し、計数センサ３０４によって遊技球が検出されないその他の通過領域が、本発明の「第１の通過領域」に相当する。
【０１２０】
本実施形態によれば、上記第３実施形態と同等な効果を奏することができる。また、振分壁を要しないので、垂直通路部４０１内の構成を簡素化できる。さらに、１つの遊技球が２つの計数センサ３０４，３０４の両方を通過可能となっているので、計数センサ３０４によって遊技球が計数される回数を増やすことができる。即ち、貯留個数Ｕをより多くすることができ、所定条件成立時に払い出される遊技球の数をより多くすることができる。
【０１２１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１〜第４実施形態パチンコ遊技機に本発明を適用していたが、遊技機であれば、遊技媒体としてコインを使用するコイン遊技機やスロットマシン等に備適用してもよい。
【０１２２】
（２）前記第１〜第４実施形態では、特別図柄１３Ａ，１３Ｂ，１３Ｃがぞろ目となった場合（所謂、大当たり状態となった場合）に、貯留解除条件が成立して、遊技球が払い出される構成であったが、他の遊技状態によって貯留解除条件が成立するようにしてもよい。例えば、特定の入賞口（例えば、サイド入賞口２０，２１）に遊技球が入賞した場合や、所謂、確率変動大当たりが所定回数（例えば、５回）連続した場合や、所定回数（例えば、１０００回）に亘って連続して特別図柄１３Ａ，１３Ｂ，１３Ｃが外れ組み合わせとなった場合や、特別図柄１３Ａ，１３Ｂ，１３Ｃが、所謂、リーチ状態となった回数が所定回数（例えば、１０回）に達した場合に、貯留解除条件が成立するようにしてもよい。
【０１２３】
（３）前記第１〜第３実施形態では、振分壁９４及び三角凸部２０５が、稜線９４Ｒ，２０５Ｒを挟んで左右対称であったが、稜線を挟んだ両側の斜面の傾斜を異ならせた形状としてもよい。これにより、貯留部９３又は上皿排出部８７（計数誘導通路３０２又は一般誘導通路３０１）に誘導される遊技球の数に偏りを持たせることができる。
【０１２４】
（４）前記第１実施形態では、振分壁９４が区画壁７７に一体に形成されていたが、形状の異なる複数種類の振分壁を、遊技球通過路８０に対して着脱可能な構成としてもよい。このようにすれば、振分壁を取り替えることで、貯留部９３或いは上皿排出部８７に誘導される遊技球の割合を任意に変更することが可能となる。
【０１２５】
（５）前記第１及び第２実施形態では、貯留部９３から払い出された遊技球が上皿２７Ａに払い出されていたが、下皿２７Ｂに払い出すようにしてもよい。このようにすれば、払出装置３０から直接払い出された遊技球なのか、貯留部９３を経て払い出された遊技球なのかを区別することができる。また、上皿２７Ａ及び下皿２７Ｂに限らず、専用の受皿に払い出すようにしてもよい。
【０１２６】
（６）前記第１〜第４実施形態では、貸球通過路８３，２１０，３００，４００を通過する遊技球を貯留部９３に貯留或いは、計数センサ３０４によって計数する構成となっていたが、賞球通過路８２を通過する遊技球を貯留或いは計数する構成でもよいし、貸球通過路８３，２１０，３００，４００を通過する遊技球と賞球通過路８２を通過する遊技球の両方を貯留或いは計数する構成でもよい。このようにすれば、より多様な遊技球の払い出しを行うことが可能となる。
【０１２７】
（７）前記第１及び第２実施形態では、貯留解除条件の成立から６０秒が経過した時点で貯留部排出口９７が閉鎖されるようになっていたが、貯留部９３から全ての遊技球が排出された時点で、貯留部排出口９７が閉鎖されるようにしてもよい。また、貯留部排出口９７の開放時間は６０秒に限るものではなく、他の時間としてもよい。さらに、貯留解除条件が成立する度に、予め設定された複数の開放時間の中から１つを選択するようにしてもよい。これにより、貯留部９３から払い出される遊技球の数をより多様に変化させることができ、遊技の趣向性を向上させることができる。
【０１２８】
（８）前記第１及び第２実施形態では、貸球通過路８３，２１０の途中に、誘導ホイール８８，２００が備えられていたが、誘導ホイールを備えていなくてもよい。
【０１２９】
（９）前記第１及び第２実施形態において、貸球通過路の途中に、振り分け手段によって上皿誘導通路に振り分けられる遊技球と、貯留部誘導通路に振り分けられる遊技球との割合を変化させる可動部を備えておき、所定条件が成立した場合に可動部によって、遊技球が上皿誘導通路よりも貯留部誘導通路に振り分けられ易くなるようにしてもよい。
【０１３０】
（１０）前記第３及び第４実施形態では、計数誘導通路３０２及び貸球通過路４００の後壁８０Ｂ寄りの通過領域を通過した遊技球が、上皿２７Ａに払い出されるようにしていたが、遊技島（パチンコホール）側に回収されるようにしてもよい。このような構成とすれば、遊技に詳しい遊技者であれば、払い出されるべき遊技球の数が少ないことに気づき、この時点で遊技球が計数センサ３０４によって遊技球が計数されたことを認識することができる。そして、この計数センサ３０４によって計数された遊技球を払い出させるために、遊技者により多くの遊技球を発射させることができる。
【０１３１】
（１１）前記第３及び第４実施形態において、貸球通過路３００，４００の途中の計数センサ３０４よりも上方位置に、遊技球を１つずつ受容して回転し、順次に下方へ排出する誘導ホイールを備えていてもよい。このようにすれば、計数センサ３０４の前を遊技球が１つずつ通過するので、計数の誤りを低減させることが可能である。また、誘導ホイールが遊技球の自重によって回転する構成とすれば、遊技球が誘導ホイールを通過するスピードを変化させることができる。
【０１３２】
（１２）前記第３及び第４実施形態において、貸球通過路の途中に、計数センサ３０４により検出可能な通過領域を通過する遊技球と、計数センサ３０４によって検出不可能な通過領域を通過する遊技球との割合を変化させる可動部を備えておき、所定条件が成立した場合に、可動部によって、遊技球が計数センサ３０４で検出可能な通過領域を通過し易くなるようにしてもよい。
【図面の簡単な説明】
【０１３３】
【図１】本発明の第１実施形態に係るパチンコ遊技機の正面図
【図２】パチンコ遊技機の背面図
【図３】電気的構成を示すブロック図
【図４】払出装置の正断面図
【図５】遊技球通過路の正断面図
【図６】図５におけるＢ−Ｂ断面図
【図７】図５におけるＡ−Ａ断面図
【図８】図６におけるＣ−Ｃ断面図
【図９】遊技球が賞球通過路を通過したときの遊技球通過路の正断面図
【図１０】遊技球が貸球通過路を通過したときの遊技球通過路の正断面図
【図１１】遊技球が貸球通過路を通過したときの遊技球通過路の（Ａ）正断面図及び（Ｂ）側断面図
【図１２】遊技球が貯留部に誘導されたときの遊技球通過路の正断面図
【図１３】貯留部から遊技球が払い出されたときの遊技球通過路の（Ａ）正断面図及び（Ｂ）側断面図
【図１４】過剰球排出口から遊技球が排出されたときの遊技球通過路の側断面図
【図１５】貯留解除条件判定プログラムを示すフローチャート
【図１６】本発明の第２実施形態に係る誘導ホイールの平面図
【図１７】遊技球通過路の側断面図
【図１８】遊技球通過路の平断面図
【図１９】本発明の第３実施形態に係る遊技球通過路の（Ａ）正断面図及び（Ｂ）側断面図
【図２０】（Ａ）は遊技球が一般誘導通路を通過した場合の側断面図、（Ｂ）は遊技球が計数誘導通路を通過した場合の側断面図
【図２１】電気的構成を示すブロック図
【図２２】貯留解除条件判定プログラムを示すフローチャート
【図２３】本発明の第４実施形態に係る遊技球通過路の側断面図
【符号の説明】
【０１３４】
２７Ａ    上皿（受皿）
３０    払出装置
８３，２１０，３００，４００    貸球通過路（通過路）
８８，２００    誘導ホイール
９０，２０４    凹所
９１    上皿誘導通路（第１の誘導通路）
９２    貯留部誘導通路（第２の誘導通路）
９３    貯留部
９４    振分壁（振分手段）
９７    貯留部排出口
９９    開閉部材
２０５    三角凸部（振分手段）
３０１    一般誘導通路（第１の誘導通路）
３０２    計数誘導通路（第２の誘導通路）
３０４    計数センサ（計数手段）
５１Ｂ    ＲＡＭ（記憶手段）
【図１】
2006006772.tif 000003
【図２】
2006006772.tif 000004
【図３】
2006006772.tif 000005
【図４】
2006006772.tif 000006
【図５】
2006006772.tif 000007
【図６】
2006006772.tif 000008
【図７】
2006006772.tif 000009
【図８】
2006006772.tif 000010
【図９】
2006006772.tif 000011
【図１０】
2006006772.tif 000012
【図１１】
2006006772.tif 000013
【図１２】
2006006772.tif 000014
【図１３】
2006006772.tif 000015
【図１４】
2006006772.tif 000016
【図１５】
2006006772.tif 000017
【図１６】
2006006772.tif 000018
【図１７】
2006006772.tif 000019
【図１８】
2006006772.tif 000020
【図１９】
2006006772.tif 000021
【図２０】
2006006772.tif 000022
【図２１】
2006006772.tif 000023
【図２２】
2006006772.tif 000024
【図２３】
2006006772.tif 000025